(57)【特許請求の範囲】
【請求項１】
土堰堤に囲われた大規模処分場敷地の底面に前記土堰堤の内側部法尻に沿って一般道に通じる場内搬入道路を周回状に設けるとともに、前記場内搬入道路の内側部分の前記処分場敷地の底面に前記土堰堤よりも低いコンクリート製の下部区画堰を設置して、該下部区画堰により該処分場敷地内を同一ピッチで短冊状に仕切って複数の埋立て区画に区画し、
前記場内搬入道路を利用して各区画に対して廃棄物の埋立てを行い、この際に、前記土堰堤又は埋立て済み区画の廃棄物の地表面側に上部堰を配置し、該上部堰と前記下部区画堰との間を跨ぐように被覆施設の両側部を設置して該被覆施設により区画の上部を覆いながら埋立てを行うとともに、該被覆施設を一区画の埋立て終了毎に次の区画に移設し、
前記場内搬入道路の部分を残して全ての区画の埋立てが終了した後に、前記処分場敷地外の前記土堰堤の外側部に該土堰堤の法尻に沿って該土堰堤よりも低い下部堤を設置して、廃棄物の上縁部に移動させた前記上部堰と該下部堤との間にそれらの間を跨ぐように前記被覆施設の両側部を設置して、該被覆施設により前記場内搬入道路の上部を覆い、この状態で前記場内搬入道路の上部に対して廃棄物の埋立てを行うことを特徴とする廃棄物処分場の埋立て方法。
【請求項２】
前記下部区画堰の内部には浸出水排水管が埋設され、該浸出水排水管は前記場内搬入道路の下部に埋設されている排水管に接続され、前記各埋立て区画の底部にはそれぞれ浸出水集排水管が設けられ、該浸出水集排水管は前記浸出水排水管に接続可能に構成され、
埋立てを開始する区画においては、該区画の前記浸出水集排水管を前記浸出水排水管に接続し、浸出水を前記浸出水集排水管、前記浸出水排水管、及び前記排水管を介して最下流の浸出水集水ピットに集め、該浸出水集水ピットからポンプにより浸出水調整槽へ導き、
埋立てを開始していない区画においては、該区画の雨水を前記下部区画堰の下部に埋設されている連通管により埋立てを開始していない最下流の区画に集め、該区画から場外排水用ポンプにより場外に排出することを特徴とする請求項１に記載の廃棄物処分場の埋立て方法。
【発明の詳細な説明】
【０００１】
【発明の属する技術分野】
本発明は、廃棄物処分場の埋立て方法に関し、特に雨水による排水負荷を軽減できるようにした方法に関する。
【０００２】
【従来の技術】
廃棄物処分場において雨水による滲出水の増加による排水負荷を軽減するために、屋根などの被覆施設を使用する場合がある。この場合には、処分場全体を覆うことが望ましいが、大規模廃棄物処分場の場合には、分割埋立てを行い、当該埋立て箇所のみ被覆施設を配置することが行われている。図６は、従来の分割埋立ての一例を示すものであり、処分場１内を土堰堤２により複数に区画し、土堰堤２間を跨ぐようにして屋根構造物からなる被覆施設３を配置することによって該当する埋立て箇所を被覆し、この箇所場１が廃棄物４で満杯になったら図示のごとく隣地に被覆施設３を移設して埋立てを続行する、あるいは紙面と直行する方向の場所に移設することで、埋立て箇所の変更毎に被覆施設３を繰返し使用できる。
【０００３】
【発明が解決しようとする課題】
しかしながら、この方法であると、処分場１内における土堰堤２断面積の占める割合が大きく、これによって埋立て容積が圧迫されてしまい、実質的に埋立て容積が減少する欠点があった。
【０００４】
また、土堰堤２に替る仕切り手段としては、固定式のコンクリート擁壁により仕切る方法もある。しかし、この場合には前記土堰堤に比べて処分場容積を十分確保できるものの、造成費用が非常に高価であり、被覆施設の建造とあわせた場合、現実的でない。
【０００５】
本発明は以上の課題を解決するものであって、その目的は、小面積の区画堰により処分場を区画し、各区画毎に移設可能な被覆施設により埋立て区画上部を覆いながら埋立てを継続できるようにした廃棄物処分場の埋立て方法を提供するものである。
【０００６】
【課題を解決するための手段】
前記目的を達成するため、本発明の請求項１に係る廃棄物処分場の埋立て方法は、土堰堤に囲われた大規模処分場敷地の底面に前記土堰堤の内側部法尻に沿って一般道に通じる場内搬入道路を周回状に設けるとともに、前記場内搬入道路の内側部分の前記処分場敷地の底面に前記土堰堤よりも低いコンクリート製の下部区画堰を設置して、該下部区画堰により該処分場敷地内を同一ピッチで短冊状に仕切って複数の埋立て区画に区画し、前記場内搬入道路を利用して各区画に対して廃棄物の埋立てを行い、この際に、前記土堰堤又は埋立て済み区画の廃棄物の地表面側に上部堰を配置し、該上部堰と前記下部区画堰との間を跨ぐように被覆施設の両側部を設置して該被覆施設により区画の上部を覆いながら埋立てを行うとともに、該被覆施設を一区画の埋立て終了毎に次の区画に移設し、前記場内搬入道路の部分を残して全ての区画の埋立てが終了した後に、前記処分場敷地外の前記土堰堤の外側部に該土堰堤の法尻に沿って該土堰堤よりも低い下部堤を設置して、廃棄物の上縁部に移動させた前記上部堰と該下部堤との間にそれらの間を跨ぐように前記被覆施設の両側部を設置して、該被覆施設により前記場内搬入道路の上部を覆い、この状態で前記場内搬入道路の上部に対して廃棄物の埋立てを行うことを特徴とする。
本発明による廃棄物処分場の埋立て方法によれば、大規模処分場敷地内を複数の埋立て区画に区画する区画堰の占有容積をきわめて小さくすることができるので、その分大規模処分場敷地を有効利用することができる。
また、移設可能な被覆施設により、各区画の上部を覆いながら各区画に対して廃棄物の埋立て作業を効率良く行うことができる。さらに、被覆施設を隣接する区画に移設する毎に上部堰を転用することができるので、各区画毎に上部堰を造成する必要がなくなる。さらに、場内搬入道路を利用することにより、廃棄物を各区画に効率良く搬入して埋立てることが可能となる。さらに、場内搬入道路の上部にも廃棄物を埋立てることができるので、大規模処分場敷地の全体を完全に利用することが可能となる。
【０００７】
また、本発明の請求項２に係る廃棄物処分場の埋立て方法は、前記下部区画堰の内部には浸出水排水管が埋設され、該浸出水排水管は前記場内搬入道路の下部に埋設されている排水管に接続され、前記各埋立て区画の底部にはそれぞれ浸出水集排水管が設けられ、該浸出水集排水管は前記浸出水排水管に接続可能に構成され、埋立てを開始する区画においては、該区画の前記浸出水集排水管を前記浸出水排水管に接続し、浸出水を前記浸出水集排水管、前記浸出水排水管、及び前記排水管を介して最下流の浸出水集水ピットに集め、該浸出水集水ピットからポンプにより浸出水調整槽へ導き、埋立てを開始していない区画においては、該区画の雨水を前記下部区画堰の下部に埋設されている連通管により埋立てを開始していない最下流の区画に集め、該区画から場外排水用ポンプにより場外に排出することを特徴とする。
本発明による廃棄物処分場の埋立て方法によれば、廃棄物の埋立てを開始する区画においては、浸出水を浸出水集排水管、浸出水排水管、及び排水管を介して最下流の浸出水集水ピットに集め、該浸出水集水ピットからポンプにより浸出水調整槽へ導き、廃棄物の埋立てを開始していない区画においては、雨水を連通管により埋立てを開始していない最下流の区画に集め、該区画から場外排水用ポンプにより場外に排水することができるので、浸出水及び雨水の排水処理を効率良く行うことができる。
【０００９】
【発明の実施の形態】
以下、本発明の好ましい実施の形態につき、添付図面を参照して詳細に説明する。図１は本発明方法を適用した廃棄物処分場の縦断面横断面を示し、図２は全体構成を示す平面図である。
【００１０】
図において、この廃棄物処分場１０は土堰堤１２に囲われた変形四角形状の敷地内を複数の短冊形に同一ピッチで仕切り、仕切られた各区画の境界位置に下部区画堰１４を設置するとともに、土堰堤１２の上縁に沿って上部堰１５を設置し、隣合う上下の堰１４，１５間を跨ぐようにして平面形が長方形であって、一側部を高い側の堤、他側部を低い側の堤に合わせた左右段違いの被覆施設１６を設置し、この被覆施設１６で囲われた内部空間に廃棄物１８を投棄するものである。
【００１１】
処分場１０の底面は、土堰堤１２の下面も含め、厚み１ｍ程度の地盤改良工２０が施され、この地盤改良工２０の表面および土堰堤１２の法面全体を遮水工２２で覆っている。
【００１２】
なお、図２中、符号１０ａは、土堰堤１２の内側部法尻に沿って処分場１内の周囲を周回する場内搬入道路であり、この場内搬入道路１０ａの一側部は一般道路に連ずるアプローチ道路１０ｂが連続しており、このアプローチ道路１０ｂに最も近接した区画を埋立て開始区画▲１▼としている。
【００１３】
図３は、前記下部区画堤１４とこれを支持する基礎の詳細を示すもので、区画堤１４は断面が台形状であって、高さ、幅ともほぼ１ｍ程度の大きさのプレキャストコンクリート製であり、その外部はアスファルト含浸シート２４で覆われ、上部中央には前記被覆施設１６の土台を支持するためのレール２６が設けられ、さらに内部中央には浸出水排水管２８が一体に埋設されている。
【００１４】
排水管２８は、各区画で一カ所これと直交して、区画堤１４の左右に突出する浸出水排水管接続口３０に連通している。
【００１５】
また各区画の底部における長手方向中央には、図２の破線で示すごとく、浸出水集排水管３２が設置されている。この浸出水集排水管３２は、図４に示すごとく、角形蛇かご３４内に充填された砕石３６により固定された有孔管であって、各区画毎に区画堰１４内の排水管２８に前記接続口３０を介して接続される。
【００１６】
また、各排水管２８は、同じく図２に破線で示すように、場内搬入道路１０ａの下部に埋設された排水管３８に接続し、最終的には排水ピット４０からポンプアップにより外部の図示しない浸出水調整槽などの廃水処理施設に放流される。
【００１７】
以上の区画堰１４を支持する基礎は、処分場１の底面部においては、前述の地盤改良工２０および遮水工２２である。この地盤改良工２０は、図３に示すように、セメント安定処理層２０ａの上部に砕石基礎工２０ｂを造成したものである。また、これの上部に敷設される遮水工２２は、下から順に水密性アスファルトコンクリートからなる下部遮水工２２ａと、アスファルト含浸シートからなる上部遮水工２２ｂと、水密性アスファルトコンクリートからなるシート保護工２２ｃの三層構造となっている。
【００１８】
以上の区画堰１４に対し、土堰堤１２の地表部、または既に埋立てられ、覆土完了した廃棄物１８の表面に設置される上部堰１５は、中実コンクリートとし、設置面における基礎工も被覆施設１６を十分に支持するに足る支持強度に設定される。
【００１９】
次に以上の構成における埋立て方法を説明する。まず、アプローチ道路側における最初の埋立て区画▲１▼の上部に前記被覆施設１６を設置する。区画▲１▼の埋立てが完了した後、被覆施設１６をその長手方向に沿って移動させ（図１縦断面図、図２参照）、次の埋立て区画▲２▼で固定し、埋立てを継続する。
【００２０】
長手方向の区画▲１▼〜▲３▼全てが埋立てられたのなら、被覆施設１６を元の区画▲１▼に戻し、埋立てられた廃棄物１８の上に新たな区画堤１４を設置した後、被覆施設１６を横の隣区画▲４▼に移設する（図１横断面図、図２参照）。
【００２１】
以上の作業を繰返すことで、全区画の埋立てを完了する。本実施形態では、処分場１０内は３６の区画に仕切られており、したがって合計３６回分被覆施設１６を縦および横に移動させつつ埋立て作業を継続できることになる。
【００２２】
また、上部堰１５は隣地移動毎に転用することができる。各区画での埋立て完了後の廃棄物１８は、最終覆土により土堰堤１２と同一高さとし、また上部堰１５の基礎を十分な支持強度とすることで、上下堤１４、１５間で不陸がなく、被覆施設１６が図示のごとく変断面形状であっても水平度を保って移動設置が可能となる。
【００２３】
以上の埋立て作業中における浸出水および雨水の排水方法は、次のように行われる。
まず、埋立てを始める区画の浸出水集排水管３２は、埋立前に区画堤１４内に設置してある浸出水集排水管取付口３０（図３参照）に接続し、雨水として処理していた排水を浸出水として処理できるようにする。
浸出水は、最下流の浸出水集水ピット４０に集め、ポンプアップにより浸出水水調整槽へ導く。
【００２４】
これに対し、まだ埋立を始めていない区画の雨水は、区画堤下部に設置した図示しない連通管により、埋立を始めていない最下流の埋立区画に集め、同じく図示しない場外排水用ポンプによりポンプアップして場外に排出する。
【００２５】
雨水場外排水用ポンプは、埋立の進行に伴い、順次上流側に移動させる。なお、埋立を開始する区画の連通管は埋立開始後、浸出水が雨水として処理されないように埋立前に予め閉塞しておく。
【００２６】
また、場内搬入道路１０ａおよびアプローチ道路１０ｂは全区画埋立て完了まで使用されるため、この部分のみは残して後の全区画を埋立て、その後、図５に示すように処分場１の敷地外であって、土堰堤１２の法尻位置に堰１５を設置し、埋立て済廃棄物１８の縁部に上部堰１５を設置し、これに被覆施設１６の両側を設置して路面上部を覆った後、廃棄物１８の埋立てを行う。
【００２７】
この埋立て作業は処分場１の周囲を一周させることで、処分場１内の埋立てを全て完了する。なお、この位置で埋立て作業を行っている最中は、場内に流入する雨水は全量浸出水として排水ピット４２を通じて外部に放流することは言うまでもない。
【００２８】
なお、一段目の埋立の全部ないしは一部が完了した後、本発明方法により、当該一段目の埋立て地盤の上部に二段目、三段目の埋立作業を順におこなうといった多層埋立てをおこなうことができる。
【００２９】
【発明の効果】
以上の説明により明らかなように、本発明の請求項１に係る廃棄物処分場の埋立て方法によれば、大規模処分場敷地内を複数の埋立て区画に区画する区画堰の占有容積をきわめて小さくすることができるので、その分処分場敷地を有効利用することが可能となる。また、移設可能な被覆施設により、各区画の上部を覆いながら各区画に対して廃棄物の埋立て作業を効率良く行うことができる。さらに、被覆施設を隣接する区画に移設する毎に上部堰を転用することができるので、各区画毎に上部堰を造成する必要がなくなり、その分費用を削減することができる。さらに、場内搬入道路を利用することにより、廃棄物を各区画に効率良く搬入して埋立てることが可能となる。さらに、場内搬入道路の上部にも廃棄物を埋立てることができるので、大規模処分場敷地の全体を完全に利用することが可能となる。
また、本発明の請求項２に係る廃棄物処分場の埋立て方法によれば、廃棄物の埋立てを開始する区画においては、浸出水を浸出水集排水管、浸出水排水管、及び排水管を介して最下流の浸出水集水ピットに集め、該浸出水集水ピットからポンプにより浸出水調整槽へ導くことができ、廃棄物の埋立てを開始していない区画においては、雨水を連通管により埋立てを開始していない最下流の区画に集め、該区画から場外排水用ポンプにより場外に排水することができるので、浸出水及び雨水の排水処理を効率良く行うことができる。
【図面の簡単な説明】
【図１】本発明の埋立て方法を示す廃棄物処分場の縦断面図および横断面図である。
【図２】同処分場の平面図である。
【図３】下部区画堰およびこれを支持する基礎の詳細断面図である。
【図４】浸出水集排水管の詳細断面図である。
【図５】場内搬入道路の埋立て方法を示す横断面図である。
【図６】従来の分割埋立て方法を示す断面図である。
【符号の説明】
１０  廃棄物処分場
１０ａ  場内搬入道路
１２  土堰堤
１４  下部区画堰
１５  上部堰
１６  被覆施設
１８  廃棄物
２８  浸出水排水管
３０  接続口
３２  浸出水集排水管
３８  排水管
４０  排水ピット
【図１】
0004126897.tif 000002
【図２】
0004126897.tif 000003
【図３】
0004126897.tif 000004
【図４】
0004126897.tif 000005
【図５】
0004126897.tif 000006
【図６】
0004126897.tif 000007